(57)【特許請求の範囲】
【請求項１】
複数のユーザにより利用され、ユーザに対しての情報画面を表示するための表示装置を備える情報処理装置であって、
前記表示装置の表示を制御するための表示制御手段と、
前記情報処理装置に接続された端末から情報を受信する受信手段と、を有し、
前記表示制御手段は、前記情報処理装置においてユーザの識別情報を用いたログインが行われていないときに、前記受信手段がユーザの携帯端末から前記表示装置により表示される情報画面の視認性に係る設定を指定するための設定情報を受信した場合、前記表示装置におけるデフォルトの表示態様から、該受信した設定情報に応じた該デフォルトとは異なる視認性となる表示態様に、情報画面の表示を変更することを特徴とする、
情報処理装置。
【請求項２】
前記表示制御手段は、前記受信手段が前記設定情報を受信した場合、少なくとも当該ユーザにとっての視認性を向上させるために、該受信した情報に応じた表示態様に、情報画面の表示を変更することを特徴とする、
請求項１に記載の情報処理装置。
【請求項３】
前記設定情報には、画面の色を反転表示する設定、及び、背景画像を消去する設定の少なくともいずれかが含まれることを特徴とする、
請求項２に記載の情報処理装置。
【請求項４】
前記表示制御手段は、前記受信手段が前記設定情報を受信した場合、前記表示装置におけるデフォルトの表示態様から、該受信した情報に応じた該デフォルトとは異なる視認性となる表示態様に、情報画面としてのログイン画面の表示を変更することを特徴とする、
請求項１乃至３のいずれか一項に記載の情報処理装置。
【請求項５】
前記表示制御手段は、表示態様を変更した後に、前記情報処理装置に対するユーザからの入力がない期間が所定の期間を超えたときに、前記デフォルトの表示態様となるよう表示を変更することを特徴とする、
請求項１乃至４のいずれか一項に記載の情報処理装置。
【請求項６】
前記受信手段は、無線通信を用いて、ユーザの携帯端末から前記設定情報を受信することを特徴とする、
請求項１乃至５のいずれか一項に記載の情報処理装置。
【請求項７】
前記表示制御手段は、無線通信の電波強度に従い一定距離だけ離れていた状態から前記情報処理装置に対してより近接してきたことが検出された携帯端末から前記受信手段が受信した前記設定情報に応じた表示態様に、情報画面の表示を変更することを特徴とする、  請求項６に記載の情報処理装置。
【請求項８】
記憶媒体を備える携帯端末であって、
情報画面の視認性に係る複数の設定を指定するための設定情報を、前記記憶媒体に保持する保持手段と、
情報画面を表示するための表示装置を備える情報処理装置に対して、前記保持された設定情報を送信するために、前記複数の設定に含まれる一部の設定の値を変換する変換手段と、
前記情報処理装置に対して、前記変換手段により変換された値を含む、前記設定情報を送信する送信手段と、を有し、
前記情報処理装置では、前記携帯端末から前記設定情報を受信した場合、前記表示装置におけるデフォルトの表示態様から、該受信した設定情報に応じた該デフォルトとは異なる視認性となる表示態様に、情報画面の表示が変更されることを特徴とする、
携帯端末。
【請求項９】
複数のユーザにより利用され、ユーザに対しての情報画面を表示するための表示装置を備える情報処理装置における制御方法であって、
前記表示装置の表示を制御するための表示制御工程と、
前記情報処理装置に接続された端末から情報を受信する受信工程と、を有し、
前記表示制御工程では、前記情報処理装置においてユーザの識別情報を用いたログインが行われていないときに、前記受信工程でユーザの携帯端末から前記表示装置により表示される情報画面の視認性に係る設定を指定するための設定情報が受信された場合、前記表示装置におけるデフォルトの表示態様から、該受信した設定情報に応じた該デフォルトとは異なる視認性となる表示態様に、情報画面の表示が変更されることを特徴とする、
制御方法。
【請求項１０】
記憶媒体を備える携帯端末における制御方法であって、
情報画面の視認性に係る複数の設定を指定するための設定情報を、前記記憶媒体に保持する保持工程と、
情報画面を表示するための表示装置を備える情報処理装置に対して、前記保持された設定情報を送信するために、前記複数の設定に含まれる一部の設定の値を変換する変換工程と、
前記情報処理装置に対して、前記変換工程で変換された値を含む、前記設定情報を送信する送信工程と、を有し、
前記情報処理装置では、前記携帯端末から前記設定情報を受信した場合、前記表示装置におけるデフォルトの表示態様から、該受信した設定情報に応じた該デフォルトとは異なる視認性となる表示態様に、情報画面の表示が変更されることを特徴とする、
制御方法。
【請求項１１】
請求項１乃至６のいずれか一項に記載の各手段としてコンピュータを機能させるためのプログラム。
【請求項１２】
コンピュータを、
情報画面の視認性に係る複数の設定を指定するための設定情報を所定の記憶媒体に保持する保持手段と、
情報画面を表示するための表示装置を備える情報処理装置に対して、前記保持された設定情報を送信するために、前記複数の設定に含まれる一部の設定の値を変換する変換手段と、
前記情報処理装置に対して、前記変換手段により変換された値を含む、前記設定情報を送信する送信手段として機能させるためのプログラムであって、
前記情報処理装置では、前記送信手段により送信されてきた前記設定情報を受信した場合、前記表示装置におけるデフォルトの表示態様から、該受信した設定情報に応じた該デフォルトとは異なる視認性となる表示態様に、情報画面の表示が変更されることを特徴とする、
プログラム。
【発明の詳細な説明】
【技術分野】
【０００１】
本発明は、携帯端末装置と情報処理装置とが通信媒体で接続されたシステムにおける、情報処理装置の情報画面制御技術に関する。
【背景技術】
【０００２】
画像形成装置等の情報処理装置や携帯端末装置などの、ユーザに対して操作画面等の情報画面を表示してユーザからの操作を受け付ける装置が知られている。このような情報画面は、カスタマイズが可能となっている場合がある。例えば、視力補正を必要としているユーザや視覚障がいを持つユーザが操作しやすいようにその情報画面をカスタマイズ可能とすることがある。
そのようなカスタマイズとして、弱視ユーザに対しては文字を大きくし、あるいはボタンをアイコン表示にすることが挙げられる。また色弱ユーザに対してはカラー画面をモノクロ画面表示に切り替えたりすること等も挙げられる。このようにユーザに対する視認性が向上するように表示態様を変更する設定は一般的にアクセシビリティ設定と呼ばれている。
【０００３】
携帯端末装置などのパーソナル機器では、１台を１人のユーザが使用するケースが大半であるため、通常その携帯端末機器に対してアクセシビリティ設定を行う。一方画像形成装置では１台を複数人数のユーザが使用するケースが多いため、ユーザＩＤによるログインシステムを導入し、ログインユーザＩＤに関連付けてアクセシビリティ設定をする方法が提案されている。
特許文献１は、そのようなアクセシビリティ設定の一例を開示している。このようなシステムの情報画面では、ログイン画面は各ユーザに共通の通常画面となっているが、ログイン後は、そのログインユーザＩＤに関連付けられている設定が表示に反映される。
【先行技術文献】
【特許文献】
【０００４】
【特許文献１】特開２００５−３５２９４号公報
【発明の概要】
【発明が解決しようとする課題】
【０００５】
特許文献１では、画像形成装置上でユーザＩＤに関連付けてアクセシビリティ設定を行う場合、ユーザＩＤ毎、また画像形成装置毎にその設定が行われる。しかし、ユーザＩＤ毎や画像形成装置毎に個別にアクセシビリティ設定を行うのは煩雑である。
【０００６】
また、ログイン設定をせず誰でも利用できるシステムを採用した画像形成装置では、その情報画面にカスタマイズやアクセシビリティ設定を行うことはできない。従って、ユーザに充分な利便性を提供することができないおそれがある。例えば、視覚障がい者などにとっては視認しにくい設定のままの情報画面で操作を行わなければならないおそれがある。さらに、ログイン設定をしてシステムを運用する場合でも、ログインを行う前の初期画面やログイン画面そのものの画面のカスタマイズやアクセシビリティ設定を行うことはできない。
【０００７】
本発明は、上記の問題を解決するために、ユーザの携帯端末と連携し、情報処理装置の情報画面の表示態様の変更を行うことができる仕組みを提供することを目的とする。
【課題を解決するための手段】
【０００８】
本発明の情報処理装置は、複数のユーザにより利用され、ユーザに対しての情報画面を表示するための表示装置を備え、前記表示装置の表示を制御するための表示制御手段と、前記情報処理装置に接続された端末から情報を受信する受信手段と、を有し、前記表示制御手段は、前記情報処理装置においてユーザの識別情報を用いたログインが行われていないときに、前記受信手段がユーザの携帯端末から前記表示装置により表示される情報画面の視認性に係る設定を指定するための設定情報を受信した場合、前記表示装置におけるデフォルトの表示態様から、該受信した設定情報に応じた該デフォルトとは異なる視認性となる表示態様に、情報画面の表示を変更することを特徴とする。
【発明の効果】
【０００９】
本発明によれば、ユーザの携帯端末から受信する設定に応じて、情報処理装置の情報画面の表示態様を、デフォルトとは異なる視認性となる表示態様に変更できる仕組みが提供できる。
【図面の簡単な説明】
【００１０】
【図１】（ａ）は本発明の一実施形態に係るシステムの構成を示すブロック図、（ｂ）は（ａ）の携帯端末装置の装置内部構成を示すブロック図、（ｃ）は（ａ）の画像形成装置の装置構成を示すブロック図。
【図２】システムの処理シーケンス図。
【図３】（ａ）、（ｂ）は携帯端末装置のユーザインタフェース図。
【図４】（ａ）〜（ｅ）は画像形成装置の情報画面の説明図。
【図５】携帯端末装置上で動作するアクセシビリティ制御アプリケーションの処理を表すフローチャート。
【図６】（ａ）、（ｂ）は携帯端末装置のアプリケーションが保持する設定値管理テーブルの説明図。
【図７】（ａ）はアクセシビリティ制御アプリケーションがＯＳのＡＰＩから取得する情報のデータフォーマットの説明図、（ｂ）は近接通信モジュールが発信している情報の説明図。
【図８】（ａ）、（ｂ）は携帯端末装置のアプリケーションが画像形成装置に送信するデータの説明図。
【図９】画像形成装置の処理を表すフローチャート。
【図１０】画像形成装置の処理を表すフローチャート。
【図１１】（ａ）〜（ｄ）は画像形成装置が保持する設定値管理テーブル。
【図１２】本発明の一実施形態に係るシステムの構成を示すブロック図。
【図１３】近接電波通信のデータフォーマットの説明図。
【発明を実施するための形態】
【００１１】
［第１実施形態］
以下、図面を参照して実施の形態を説明する。なお、以下の実施形態では情報処理装置の一例として画像形成装置を用いた例を示すが、本発明は、キャッシュディスペンサやチケット予約端末等の、画像形成装置以外の任意の情報処理装置に適用可能である。
【００１２】
図１（ａ）は、本発明の第１実施形態に係る画像形成システムの構成を示すブロック図である。この画像形成システムは、携帯端末装置１０１、画像形成装置１０２、１０３及び無線ＬＡＮベースステーション１０５により形成される。画像形成装置１０２、１０３及び無線ＬＡＮベースステーション１０５は、Ethernet（登録商標）などで構成される、ネットワーク１０４により通信を行う。一方、携帯端末装置１０１は、無線ＬＡＮベースステーション１０５を通じて画像形成装置１０２、１０３と無線通信１０６により通信している。
なお、画像形成装置１０２、１０３は、クライアントとなる携帯端末装置１０１が生成した印刷ジョブなどを受信して印刷等を行う。画像形成装置１０２、１０３は、設定ジョブ等のその他のジョブを受信した場合には、それに応じた処理を行う。
更に、携帯端末装置１０１と画像形成装置１０２、１０３とは、無線通信１０６に加えて、微弱電波による近距離通信１０７も可能となっている。この微弱電波による近距離通信は、携帯端末装置１０１から画像形成装置１０２、１０３への一方向通信としても、双方向通信としてもよい。本実施形態のシステムでは、画像形成装置１０２、１０３は、ユーザが操作する携帯端末装置１０１から印刷ジョブなどを受信し印刷出力を行う。
【００１３】
図１（ｂ）は、携帯端末装置１０１のハードウェア構成図である。携帯端末装置１０１のＣＰＵ（Central Processing Unit）１１１は、ＲＡＭ（Random Access Memory）１１２に記憶されているプログラムに従ってシステムバス１１４に接続される各デバイスを制御する。このＲＡＭ１１２は、ＣＰＵ１１１の主メモリ、ワークエリア等としても機能している。ＲＯＭ（Read Only Memory）１１３は、システムの基本的な各種プログラム及びデータを格納している。
表示操作部Ｉ／Ｆ（Ｉ／Ｆはインターフェースの略。以下同じ。）１１５は、端末表示操作部１１６の情報画面の表示制御等を行う。端末表示操作部１１６はユーザ入力を受け付ける。また、この実施形態では、端末表示操作部１１６はタッチパネルとなっており、ユーザからのタッチ入力を受け付けるが、入力手法はこれに限られるものではなく、キーボードによる入力等を行うようにしてもよい。
無線ネットワークＩ／Ｆ１１７は無線ネットワークモジュール１１８の制御を行い、無線ＬＡＮベースステーション１０５を介した無線ネットワーク通信を実現する。近接通信モジュールＩ／Ｆ１２０は、近接通信モジュール１２１を制御し、近距離無線通信を行う。
この近距離無線通信は、二種類の通信手法を用いることができる。第１の手法では、携帯端末装置１０１又は画像形成装置１０２のうち一方の装置が微弱電波を通じて通信を確立するための情報を発信する。携帯端末装置１０１と画像形成装置との距離が通信を確立するに十分短くなると、他方の装置が一方の装置からの微弱電波を検知し、発信されている情報を取得する。この実施形態では、画像形成装置１０２の近接通信モジュール１６２が微弱電波を発し、携帯端末装置の近接通信モジュール１２１が微弱電波を検知して発信されている情報を取得する。従って、携帯端末装置１０１の近接通信モジュール１２１は画像形成装置１０２との通信確立を行う。この手法においては、情報の伝達は、携帯端末装置１０１と画像形成装置１０２とのうち一方の装置から他方の装置への一方向となる。
第２の手法では、携帯端末装置１０１と画像形成装置１０２とが十分近接した際に微弱電波により双方向で情報の送受信が行われる。
【００１４】
外部メモリＩ／Ｆ１１９は、例えばフラッシュメモリ、ＳＳＤ(Solid State Disk)等の外部メモリ１３１とのアクセスを制御する。外部メモリ１３１は、携帯端末装置１０１が読み書き可能な記憶媒体であり、システムプログラム１３４及びオペレーティングシステム（以下、ＯＳと称する）１３２が記憶される。
【００１５】
ＯＳ１３２は、アプリケーションを動作させるためのアプリケーションフレームワーク１３３、ＯＳ１３２が提供する各種システムプログラム１３４、及び各種ユーティリティ関数などを格納したライブラリ１３５を備えている。システムプログラム１３４による各種設定はシステム情報記憶部１４２に記憶される。
【００１６】
アクセシビリティ制御アプリケーション１３６は、アプリケーション実行コードを有する。さらに、アクセシビリティ制御アプリケーション１３６は、ユーザＩ／Ｆ制御部１３７、ＯＳ１３２のシステムプログラム１３４により設定された値を取得するシステム設定取得部１３８を有する。また、アクセシビリティ制御アプリケーション１３６には、ユーザからの入力内容が記憶されるユーザ設定情報記憶部１３９が設けられている。このユーザ情報記憶部には、後述するように、画像形成装置１０２、１０３の情報画面の表示態様を変更するための表示態様変更情報も記憶される。
【００１７】
図１（ｃ）は、図１（ａ）の画像形成装置１０２の概略構成を示すブロック図である。なお、画像形成装置１０３の構成は画像形成装置１０２の構成と同様であることから省略している。画像形成装置１０２、１０３はその構成及び動作がほぼ同一であることから、以下、画像形成装置１０２について説明し、特に断りのない限り、画像形成装置１０３についての説明は省略する。
ＣＰＵ１５２は、画像形成装置１０２の全体の動作を制御し、また、画像形成装置１０２で実行される各種アプリケーションを実行する。ＲＡＭ１５３は、ＣＰＵ１５２の主メモリ、ワークエリア等として機能するとともに、画像情報展開領域、環境データ格納領域としても用いられる。またこのＲＡＭ１５３は、ＮＶＲＡＭ(Non-volatile RAM：不揮発性ＲＡＭ）領域も備えており、図示しない増設ポートに接続されるオプションＲＡＭによりメモリ容量を拡張することができるように構成されている。
【００１８】
ＲＯＭ１５４は、各種フォントやＣＰＵ１５２により実行される制御プログラムおよび各種データ等を記憶している。ネットワークＩ／Ｆ１５５は、無線ＬＡＮベースステーション１０５を介して携帯端末装置１０１や他のネットワークに接続されたクライアント装置との間でデータの送受信を行なう。
また、画像形成装置１０２には操作部Ｉ／Ｆ１５６及び操作部１５７が設けられている。操作部１５７は、画像形成装置１０２の印刷処理などを設定するためのユーザからの入力を受け付ける。操作部Ｉ／Ｆ１５６は、ＣＰＵ１５２と操作部１５７とのインターフェースである。操作部１５７には操作のためのスイッチ及びＬＥＤ表示器、情報画面を表示する液晶タッチパネル等が配されている。プリンタＩ／Ｆ１５８は、ＣＰＵ１５２とプリンタエンジンであるプリンタ部１５９とのインターフェースである。近接通信モジュールＩ／Ｆ１６１は、微弱電波により近接した装置との通信を行うための近接通信モジュール１６２とＣＰＵ１５２とのインターフェースである。
【００１９】
外部メモリ１７１は、フラッシュメモリ、ＳＳＤ等により構成され、外部メモリＩ／Ｆ１６０により制御されている。この外部メモリ１７１には、画像形成を行うための印刷制御プログラム１７２が記憶される。また、外部メモリ１７１には、操作部１５７の液晶タッチパネルに表示される情報画面を表示するための表示制御を行う操作部制御プログラム１７３、近接通信の制御を行うための近接通信制御プログラム１７４も記憶される。また時間を計測するための時間計測部１７５も記憶される。なお図示されてはいないが、ＮＶＲＡＭ（Non-Volatile Random Access Memory）を設けて、操作部１５７から入力される印刷設定情報を記憶するようにしてもよい。
【００２０】
次に、具体的な各装置の処理詳細を説明する前に、本システムの処理の概略を図２のシステム制御シーケンスを用いて説明する。
【００２１】
図２は、ユーザが携帯端末装置１０１上で必要なユーザ設定を行った後に、その携帯端末装置１０１を持って画像形成装置１０２に近接することで、携帯端末装置１０１の設定が操作部１５７に表示される情報画面に反映されるシーケンスを表したものである。なお、ユーザ設定を画面表示に反映した後にユーザが実行する操作には、状況に応じていくつかの種類がある。この実施形態では、ユーザがユーザ設定を行った後に画像形成装置１０２から離れる場合、ログインする場合及び一定時間経過した場合を示す。
【００２２】
図２に示されるように、ユーザは、携帯端末装置１０１のシステム設定プログラムを起動指示する（Ｓ２１１）。携帯端末装置１０１は、この指示を受け、システム設定プログラムを起動する（Ｓ２１２）。このシステム設定プログラムは、携帯端末装置１０１のシステムプログラム１３４がＣＰＵ１１１によりＲＡＭ１１２にロードして実行する。また、システム設定プログラムは、各種システムの設定を行うことが可能であり、表示言語や時刻の設定など携帯端末装置１０１の動作に関わる各種設定を行うようになっている。
このシステム設定では、ユーザに対する視認性が向上するように、携帯端末装置１０１の情報画面の表示態様を変更する設定が可能となっている。例えば、視覚障がい者にとって、より判別しやすいように情報画面をカラー画面から白黒画面にする、あるいは、情報画面のコントラストを高める等の設定が可能である。以下、このようにユーザに対する視認性が向上するよう表示態様を変更する設定をアクセシビリティ設定と記載する。また、ユーザに対する視認性が向上するよう表示態様を変更するための情報をアクセシビリティ設定情報と記載する。次に、ユーザは、携帯端末装置１０１のシステム設定プログラムを介してユーザの好みを反映したアクセシビリティ設定を行う（Ｓ２１３）。
【００２３】
ここで、アクセシビリティ設定の詳細を図３（ａ）、（ｂ）を参照して説明する。図３（ａ）は、携帯端末装置１０１の端末表示操作部１１６における端末システムアクセシビリティ設定のユーザＩ／Ｆ５０１を示したものである。この端末システムアクセシビリティ設定は、携帯端末装置１０１のシステムプログラム１３４により設定される。図３（ａ）において、タイトル５０３は、端末表示操作部１１６に端末システムアクセシビリティ設定画面が表示されていることを示す。スイッチ５０４は、通常の表示方法では表示の判別が困難である視覚障がいを持ったユーザに対して、携帯端末装置１０１の情報画面における画面全体の色を反転表示するスイッチである。スイッチ５０５は、警告や通知などを音で知らせる場合、その音が聞き取りづらい場合に携帯端末装置１０１に具備しているＬＥＤインジケータを利用してＬＥＤフラッシュにより光で通知するスイッチである。
スライダ５０６は、携帯端末装置１０１の画面表示を行う際の文字の大きさを拡大縮小率で相対的に指定するスライダである。ユーザはこのユーザＩ／Ｆ５０１において、必要に応じてそのユーザ所望の表示や動作設定を行う。
【００２４】
図２に戻ると、ステップＳ２１３においてユーザがアクセシビリティ設定を行うと、携帯端末装置１０１のシステムプログラム１３４はその設定値をシステム情報記憶部１４２に保存する（Ｓ２１４）。次に、ユーザは、携帯端末装置１０１の端末表示操作部１１６を介してアクセシビリティ制御アプリケーション１３６の起動を指示する（Ｓ２１５）。この指示により、携帯端末装置１０１のＣＰＵ１１１は、画像形成装置１０２に対してアクセシビリティ設定を行うためのアクセシビリティ制御アプリケーション１３６を起動する（Ｓ２１６）。なお、特に断りがない限り、携帯端末装置１０１での各アプリケーションはＣＰＵ１１１により実行され、画像形成装置１０２の各アプリケーションはＣＰＵ１５２により実行される。
【００２５】
アクセシビリティ制御アプリケーション１３６は、システムプログラム１３４によるアクセシビリティ設定以外に必要な設定を行うユーザＩ／Ｆからユーザの入力を受け付ける。またこのアクセシビリティ制御アプリケーション１３６は、画像形成装置１０２の近接通信モジュール１６２が発している微弱電波を、近接通信モジュール１２１を通じて検知し、アクセシビリティに関する制御を行う。
【００２６】
図３（ｂ）は、アクセシビリティ制御アプリケーション１３６のユーザＩ／Ｆ５２１である。図３（ｂ）において、タイトル５２２は、アクセシビリティ設定画面が表示されていることを示す。スイッチ５２３は、画像形成装置の操作部１５７に表示される情報画面における背景画像消去スイッチである。これは、携帯端末装置１０１のシステムプログラム１３４による設定とは別個の設定である。画像形成装置１０２の操作部１５７に使用される液晶タッチパネルなどは、高解像度で多色カラー表示が可能となってきており、その画面性能を活用するために操作ボタンを表示する以外に背景画像を表示する場合もある。しかし視覚障がい者にとって、この背景画像が表示されていると、認識しづらくなる場合もあるため、背景画像消去カスタマイズができるようになっている。
【００２７】
このアクセシビリティ制御アプリケーション１３６では、システムプログラム１３４によるシステムアクセシビリティ設定に加え画像形成装置１０２の背景画像消去設定が可能となっている。
また、ユーザＩ／Ｆ５２１は、このアクセシビリティ制御アプリケーション１３６がシステムプログラム１３４によるアクセシビリティ設定から取得した値もシステム設定５２４として情報表示する。具体的には、色を反転表示するスイッチ５２５、ＬＥＤフラッシュ通知をするスイッチ５２６、文字の大きさ指定５２７である。これらの値には、システムプログラム１３４によるユーザＩ／Ｆ５０１で指定した、色を反転するスイッチ５０４、ＬＥＤフラッシュ通知をするスイッチ５０５、文字の大きさを指定するスライダ５０６の設定が反映されて表示されている。
【００２８】
従って、後述するように、画像形成装置１０２において、携帯端末装置１０１で設定したシステム設定５２４及びスイッチ５２３の設定を用いることで、画像形成装置１０２におけるアクセシビリティ設定を行うことができる。
【００２９】
図２に戻ると、ユーザは、ユーザＩ／Ｆ５２１を通じてアクセシビリティ制御アプリケーション１３６に所望の設定を行う（Ｓ２１７）。必要であれば、背景画像のスイッチ５２３を設定する。また、必要であれば、システム設定５２４の内容を確認する。なお、この実施形態では、システム設定５２４の各値として、スイッチ５０４、５０５及びスライダ５０６に設定された値を取得して用いているが、ユーザがこの取得した値を修正することもできる。また、ユーザが直接システム設定５２４の値を直接入力するようにしてもよい。アクセシビリティ制御アプリケーション１３６は、システム設定５２４の設定を受けて、その設定値をアクセシビリティ設定情報としてユーザ設定情報記憶部１３９に保存する（Ｓ２１８）。システム設定５２４の設定は、ユーザにより入力された端末システムアクセシビリティ設定の値を用いるか、あるいはユーザにより直接入力される。いずれにせよ、システム設定５２４の値はユーザにより入力された値である。従って、ユーザ設定情報記憶部１３９には、ユーザにより入力されたアクセシビリティ設定情報、即ち、画像形成装置１０２の情報画面の表示態様を変更するための表示態様変更情報が記憶される。以上のようにして携帯端末装置１０１の設定が終了する。
【００３０】
ユーザがこの携帯端末装置１０１を携帯してコピーや印刷ジョブの取得などの操作を行うために画像形成装置１０２の近接通信可能な距離に近づくと（Ｓ２１９）、携帯端末装置１０１は近接電波を受信する（Ｓ２２０）。これにより、携帯端末装置１０１上で動作しているアクセシビリティ制御アプリケーション１３６は、画像形成装置１０２が発している近接電波を検知する。この電波の検知は近接電波の強度が一定以上になったときに行うものである。これにより、携帯端末装置１０１と画像形成装置１０２との間で近距離通信が確立する。
その詳細は、後述する画像形成装置１０２の処理のフローチャートにて説明する。次に、携帯端末装置１０１上で動作しているアクセシビリティ制御アプリケーション１３６は、近接通信により各種情報を取得する（Ｓ２２１）。従って、アクセシビリティ制御アプリケーション１３６は、画像形成装置１０２と通信を行うための通信情報取得を行う。この情報の詳細については後述するが、この情報には画像形成装置１０２と通信を行うための接続情報、例えば通信先アドレス等が含まれている。
【００３１】
本実施形態では近接電波による通信は片方向としている。そのため携帯端末装置１０１上のアクセシビリティ制御アプリケーション１３６は、画像形成装置１０２に情報を送る際、無線通信などの別の通信媒体を使用する。ステップＳ２２１において近接電波を通じて取得する情報にはこの通信先の情報が含まれており、この情報を元に通信先を特定する。
携帯端末装置１０１上で動作しているアクセシビリティ制御アプリケーション１３６は、近距離通信が確立された後に、画像形成装置１０２に情報を送信するための通信先アドレスを決定する（Ｓ２２２）。
この実施形態では、決定された通信先アドレスに、ユーザに対する視認性が向上するための表示態様変更情報であるアクセシビリティ設定情報を送信する。アクセシビリティ設定情報を受信した画像形成装置１０２は、送信されたアクセシビリティ設定情報に応じて操作部１５７の情報画面の制御を行う。
【００３２】
そのため、アクセシビリティ制御アプリケーション１３６は、ステップＳ２２２で決定した通信先アドレスを参照して、無線ネットワークモジュール１１８を介して無線通信１０６を通じて画像形成装置１０２にアクセシビリティ設定情報を送信する（Ｓ２２３）。従って、この実施形態では、アクセシビリティ制御アプリケーション１３６は、表示態様変更情報を情報処理装置に送信する。
一方、画像形成装置１０２側では、上述のように近距離通信が確立されたことに応答して携帯端末装置１０１から送信されるアクセシビリティ設定情報を受信する（Ｓ２２４）。そして、受信したアクセシビリティ設定情報に従って、操作部１５７の液晶タッチパネルに表示される情報画面の表示態様が変更される（Ｓ２２５）。この操作部１５７による画面の変更処理は、ＣＰＵ１５２が、システムバス１５１を経由して操作部制御プログラム１７３をＲＡＭ１５３にロードし実行することで処理される。近距離無線通信が確立したことは、携帯端末装置１０１を所持したユーザが画像形成装置１０２の近傍にいることを示す。従って、ユーザが画像形成装置１０２の近傍にいるときに情報画面の表示態様の変更を行うことが可能とされている。
【００３３】
アクセシビリティ設定情報は、携帯端末装置１０１と画像形成装置１０２との間でフォーマットが決まっており、情報の授受が可能としている。これにより、画像形成装置１０２の操作部制御プログラム１７３は、携帯端末装置１０１のアクセシビリティ制御アプリケーション１３６からのアクセシビリティ設定情報を元にした画面の変更が可能となっている。詳細については各装置の処理のフローチャートにおいて説明する。
【００３４】
続いて画像形成装置１０２において、ステップＳ２２４にて受信したアクセシビリティ設定情報に基づき画像形成装置１０２の操作部１５７における情報画面を変更する。この変更処理を図４（ａ）および（ｂ）を参照して説明する。
【００３５】
図４（ａ）においては、画像形成装置１０２の操作部１５７に待機画面として操作画面が表示されている。この待機画面は通常状態の表示とされており、アクセシビリティ設定による表示態様の変更はされていない。図４（ｂ）は、アクセシビリティ設定情報に基づいて表示態様が変更された待機画面が表示された状態での操作部１５７を示す。なお、この実施形態では、図３（ｂ）に示されたアクセシビリティ設定に応じて表示態様が変更されている。図３に示されるように、スイッチ５２３はＯＮ、スイッチ５２５はＯＮ、文字の大きさ５２７は１５０％である。従って、図４（ｂ）においては、これらのアクセシビリティ設定に従って、背景画像が消され、色が反転され、文字の大きさは通常の表示の１５０％の大きさとされている。
【００３６】
詳細には、図４（ａ）において、操作部１５７の液晶タッチパネルには、情報画面４０２が表示されている。情報画面４０２には、待機画面としてメインメニューが表示されている。このメインメニューには、コピーボタン４０６、スキャンボタン４０７、ファックスボタン４０８が表示されている。ユーザは、所望する処理のボタンをタッチすることにより、その処理を行うことができる。また、液晶タッチパネルの情報画面内には背景画像４０９が表示される。なお、通常、液晶タッチパネルはカラー表示を行うようになっている。
操作部１５７には、液晶タッチパネルの他に物理ボタン４０３、スタートボタン４０４、キャンセルボタン４０５が設けられている。物理ボタン４０３は、例えばコピーする際の部数の設定や、ファックス送信する際の相手先番号の入力など、数字の入力に使用する。スタートボタン４０４は、コピーやスキャン、ファックスなどの開始を指示するためのボタンである。キャンセルボタン４０５は、処理のキャンセルあるいは入力文字の消去等を行うためのボタンである。
【００３７】
図４（ｂ）は、図４（ａ）に示される情報画面４０２を、アクセシビリティ設定情報に基づいて変更した状態を示す。図４（ｂ）に示される変更された情報画面４２２においては、図３（ｂ）に示されるアクセシビリティ設定に従い、文字の大きさは１５０％に大きくされ、色は反転表示され、ＬＥＤフラッシュ通知がなされ、さらに背景画像は消去されている。これにより、図４（ａ）におけるコピーボタン４０６、スキャンボタン４０７、ファックスボタン４０８は、図４（ｂ）ではコピーボタン４２６、スキャンボタン４２７、ファックスボタン４２８のように拡大及び反転されて表示される。図４（ａ）で表示されていた背景画像４０９については、図４（ｂ）においては消去されている。
【００３８】
このように、ユーザが携帯端末装置１０１を携帯して画像形成装置１０２に近づくと、携帯端末装置１０１のアクセシビリティ制御アプリケーション１３６で設定されたアクセシビリティ設定に基づき、情報画面４０２の表示態様が変更される。その結果、操作部１５７の液晶タッチパネルには、通常時の情報画面４０２に代えて、ユーザの視認性が向上するように表示態様が変更された情報画面４２２が表示される。従って、ユーザは、表示態様が変更された情報画面４２２を通じて入力操作を行うことができる。
【００３９】
なお、画像形成装置１０２は、待機時は図４（ａ）に示した通常の待機画面を表示して上述のように待機画面の表示態様の変更を行うとともに、所定の条件が満たされた場合にはログイン画面を表示するようにしてもよい。例えば、ユーザから操作部１５７を通じてログイン画面を表示する指示がなされた場合にログイン画面を表示するようにしてもよい。
また、コピー、スキャン及びファックスのいずれかの操作についてはログイン画面を表示することなく実行し、他の操作についてはログイン画面を表示してユーザＩＤ及びパスワードが確認されるまでは実行を不可としてもよい。他の実施形態として、ステップＳ２２４でアクセシビリティ設定を受信すると自動的にログイン画面を表示するようにしてもよい。更に、ステップＳ２２４でアクセシビリティ設定を受信してから一定時間操作がなされない場合に、待機画面に代えてログイン画面を表示するようにしてもよい。このログイン処理を以下に説明する。
【００４０】
図４（ｃ）は、通常のログイン画面４４２が液晶タッチパネルに表示された状態の操作部１５７を示す。この通常のログイン画面は、アクセシビリティ設定がされていない状態でのログイン画面である。携帯端末装置１０１にアクセシビリティ設定がされていない場合、あるいは、ユーザが携帯端末装置１０１を所持していない場合は、画像形成装置１０２にアクセシビリティ設定が送信されない。この場合、画像形成装置１０２でログイン画面を表示する場合にはこの通常のログイン画面が表示される。
一方、図４（ｄ）には、表示態様が変更されたログイン画面４６２が液晶タッチパネルに表示された状態での操作部１５７を示す。このログイン画面４６２には、図３（ｂ）に示されるアクセシビリティ設定が反映されており、文字の大きさは１５０％に大きくされ、色は反転表示され、ＬＥＤフラッシュ通知がなされる。なお、この実施形態ではログイン画面には背景画像は元々設定されていないので、図３（ｂ）でのアクセシビリティ設定にかかわらず背景画像は表示されない。
【００４１】
図２に戻ると、ＣＰＵ１５２は、アクセシビリティ設定を受信する（Ｓ２２４）と、操作部制御プログラム１７３を通じて、上述のように表示態様の変更を行う（Ｓ２２５）。その後、ＣＰＵ１５２は、上述のように表示態様が変更されたログイン画面４６２を液晶タッチパネルに表示する。なお、このログイン処理においては、Ｓ２２５を省略して、通常の待機画面から直接このログイン画面４６２を表示しても良い。
ここで適用するアクセシビリティ設定情報の内容は、図３（ｂ）に示した例と同様とする。これにより、ユーザは、アクセシビリティ設定が反映された情報画面であるログイン画面４６２を通じて画像形成装置１０２にログインする（Ｓ２２６）。なお、携帯端末装置１０１を所持していないユーザ等は、図４（ａ）に示される通常のログイン画面を通じて、各ユーザあるいはグループに割り当てられたユーザＩＤおよびパスワードをそれぞれ入力し、ログインボタン４４８をタッチする。
【００４２】
図４（ｄ）のログイン画面４６２では、図３（ｂ）のアクセシビリティ設定に従って、ユーザＩＤ入力欄４６６、パスワード入力欄４６７及びログインボタン４６８の文字の大きさは大きく（１５０％）されている。また、ログイン画面４６２では色は反転表示され、背景画像は消去されている。なお、ログイン画面に元々背景画像がない場合には、スイッチ５２３の設定に拘わらず、背景画像は表示されない。ステップＳ２２６において、ユーザＩＤとパスワードの組み合わせが正しい場合、ＣＰＵ１５２は、画像形成装置１０２の情報画面にログイン画面を表示させる。
なお、この実施形態では、上記のように待機時は図４（ａ）に示した通常表示画面を表示するものとしたが、待機時にログイン画面を表示するようにしてもよい。この場合、ログイン画面が表示されている状態で、ステップＳ２１９からステップＳ２２５のシーケンスで説明したように、ユーザが携帯端末装置１０１を携帯して画像形成装置１０２に近づくこともある。このときには、ユーザのログイン操作前であっても、ログイン画面４４２についてもアクセシビリティ設定情報に基づき変更を行うこともできる。
【００４３】
以上説明したように、ステップＳ２２６においては、ユーザは、アクセシビリティ設定情報に基づき変更されたログイン画面でログインを行う。
【００４４】
画像形成装置１０２を使用するユーザ全員がお互いに異なるユーザＩＤを持っている場合、この設定を保存することが望ましい。しかし、ログイン管理の運用方法によっては、ひとつのユーザＩＤを複数人数で共有するケースもある。その場合はログインＩＤにアクセシビリティ設定情報を保存しない方が望ましいケースもある。
【００４５】
従って、この実施形態では、操作部制御プログラム１７３は、操作部１５７の液晶タッチパネルにアクセシビリティ設定情報をログインしたユーザＩＤに保存するかどうかの設定反映確認画面を表示する（Ｓ２２７）。この設定反映確認画面を図４（ｅ）に示す。図４（ｅ）において、情報画面４８２には、「設定確認」「この設定を保存しますか？」という画面表示４８６及び「する」を表示するボタン４８７、「しない」を表示するボタン４８８が表示される。
ユーザは、このアクセシビリティ設定を保存する場合はボタン４８７をタッチして設定反映を承諾する（Ｓ２２８）。一方、保存しない場合は、ユーザは、ボタン４８８をタッチする。
【００４６】
ステップＳ２２８において設定反映が承諾された場合、操作部制御プログラム１７３は、アクセシビリティ設定情報をユーザＩＤ情報に関連付けてユーザ情報記憶部１７６に保存する（Ｓ２２９）。このようにアクセシビリティ設定を保存することで、ユーザは、携帯端末装置１０１を携帯していない場合でも、画像形成装置１０２にアクセシビリティ設定を反映することが可能となる。この場合、ユーザは、図４（ｃ）に示される通常のログイン画面からユーザＩＤを入力する。画像形成装置１０２の操作部制御プログラム１７３は、ユーザＩＤに応じてログイン後の画面を変更する。これにより、ログインしたユーザには、図４（ａ）に示される通常表示画面に代えて、図４（ｂ）に示される変更画面を表示することが可能となる。ユーザは、プリント等の必要な操作を行った後、画像形成装置１０２から離れる。
【００４７】
ユーザが画像形成装置１０２に接近から離れると、携帯端末装置１０１上で動作しているアクセシビリティ制御アプリケーション１３６は、近接通信の電波強度が基準値以下になったことを検知する（Ｓ２３０）。その後、アクセシビリティ制御アプリケーション１３６は、アクセシビリティ設定の解除指示を、ステップＳ２２２において決定した通信先に送信する（Ｓ２３１）。画像形成装置１０２の操作部制御プログラム１７３は、この解除指示ジョブを受信し、操作部１５７の情報画面４０２を通常の表示状態に戻す（Ｓ２３２）。
ユーザは、画像形成装置１０２から離れる前にログアウト操作を行う場合もある。この場合、ユーザは、ステップＳ２２９でアクセシビリティ設定情報を保存した後にログアウトを行う（Ｓ２３３）。ユーザがログアウト操作を行った場合、画像形成装置１０２の操作部制御プログラム１７３がログアウト処理を行う（Ｓ２３４）。
なお、アクセシビリティ制御アプリケーション１３６は、何らかの原因によってステップＳ２３１でアクセシビリティ設定の解除ジョブが送信できない場合もあり得る。この場合、操作部１５７の情報画面４０２が通常表示に戻らなくなるおそれがある。そのため、ＣＰＵ１５２は、画像形成装置１０２の時間計測部１７５を通じてユーザからの入力がない期間を測定する。ＣＰＵ１５２は、この期間が所定の期間を超えた場合には、タイムアウト処理として、情報画面４０２を通常の画面表示に戻す処理を実行する（Ｓ２３５）。
以上がシーケンス図に基づく全体の処理シーケンスの説明である。
【００４８】
次に、携帯端末装置１０１及び画像形成装置１０２での実行される処理の詳細について説明する。
図５に、携帯端末装置１０１上で動作するアクセシビリティ制御アプリケーション１３６の動作を説明するためのフローチャートを示す。なお、携帯端末装置１０１のシステムプログラム１３４は、携帯端末装置１０１自体のシステムアクセシビリティ設定が可能である。図３（ａ）を参照して説明したように、ユーザは、システムプログラム１３４を起動してユーザＩ／Ｆ５０１を通じて携帯端末装置１０１のシステムアクセシビリティ設定を行う。この実施形態では、図３（ａ）に示されるように、スイッチ５０４、５０５はＯＮ、スライダ５０６は標準よりも１段階大きくしている。文字の大きさは相対設定となっており、１段階大きくすると５０％大きくなるものとする。従って、図３（ａ）の設定では、文字の大きさは１５０％が指定されている。
【００４９】
図５においては、ユーザの起動指示により、ＣＰＵ１１１は、ＯＳ１３を通じてアクセシビリティ制御アプリケーション１３６の起動を行う（Ｓ３０１）。この起動処理は、外部メモリ１３１に保存されているアクセシビリティ制御アプリケーション１３６をＣＰＵ１１１がシステムバス１１４を介してＲＡＭ１１２にロードして実行する。次に、アクセシビリティ制御アプリケーション１３６は、図３（ａ）のように設定されたシステムアクセシビリティ設定を取得し、アクセシビリティ設定情報テーブルを更新する（Ｓ３０２）。ＯＳ１３２のアクセシビリティ設定は、アプリケーションフレームワーク１３３のＡＰＩ(Application Programming Interface)を呼び出すことにより取得することができる。アクセシビリティ制御アプリケーション１３６は、取得した値をアクセシビリティ制御アプリケーション１３６のユーザ設定情報記憶部１３９にテーブル形式で保存する。
【００５０】
図６（ａ）に、ステップＳ３０２のステップにおいて作成されるアクセシビリティユーザ設定情報を記録するテーブル６０１を示す。このテーブル６０１は、設定項目６０２およびその設定値６０３から構成される。また、設定項目としては、色の反転は「reversecolor」、文字の大きさは「charsize」、ＬＥＤフラッシュ通知は「notifybyled」、背景画像消去は「erasebackimage」として設定されている。この実施形態では、テーブル６０１のユーザ設定においてスイッチのＯＦＦ／ＯＮをＦａｌｓｅ／Ｔｒｕｅとして表す。また、数値については、その数値自体を保存することとしている。
図６（ａ）に示されるように、システムアクセシビリティ設定から取得される色の反転のスイッチ５０４はＯＮであるので、設定項目「reversecolor」の設定値はTrueとなる。なお、ここでは色を反転するという項目を「reversecolor」という文字列で設定したが、これに限らず任意の文字列を設定してもよい。
【００５１】
アプリケーションフレームワーク１３３のＡＰＩから取得されるスライダ５０６のユーザ設定は１５０％であるので、「charsize」の設定値は１５０となる。同様に、「notifybyled」の設定値はTrueとなる。なお、この実施形態では、スイッチ５２３はシステムアクセシビリティ設定の項目には入っていないので、システムアクセシビリティ設定から取得することはできない。従って、「erasebackimage」の設定値は、初期値としてFalseを保存するものとした。
【００５２】
その後、ＣＰＵ１１１は、アクセシビリティ制御アプリケーション１３６を実行してユーザＩ／Ｆ５２１を端末表示操作部１１６に表示する（Ｓ３０３）。次に、アクセシビリティ制御アプリケーション１３６は、アクセシビリティ設定がユーザにより変更されたかを判定する（Ｓ３０４）。変更された場合（Ｓ３０４：Ｙ）、アクセシビリティ制御アプリケーション１３６は、テーブル６０１を更新してステップＳ３０４に戻る（Ｓ３０５）。この実施形態では、アクセシビリティ制御アプリケーション１３６のユーザＩ／Ｆ５２１において、背景消去のスイッチ５２３はＯＮに変更されている。従って、アクセシビリティ制御アプリケーション１３６は、テーブル６０１を更新して「reversecolor」の設定値６０３をTrueとしてステップＳ３０４に戻る。
【００５３】
図６（ｂ）に、更新後のテーブル６０１を示す。図示されるように、図３（ｂ）のスイッチ５２３に対応する「reversecolor」の設定値６０３はTrueに更新されている。アクセシビリティ設定が変更されていない場合（Ｓ３０４：Ｎ）、アクセシビリティ制御アプリケーション１３６は、近接通信電波を受信したかを判定する（Ｓ３０６）。この近接通信は本実施形態では片方向の通信としている。具体的には、画像形成装置１０２の近接通信モジュール１６２が定期的に微弱電波を用いて情報を発信する。携帯端末装置１０１は、近接時に、近接通信による微弱電波を検知して発信されている情報を受信する（Ｓ３０７）。
【００５４】
ここで、アクセシビリティ制御アプリケーション１３６がステップＳ３０７においてＯＳ１３２のＡＰＩから取得する情報のフォーマットを図７（ａ）に示す。この情報は、画像形成装置１０２の近接通信モジュール１６２が発信している情報と、携帯端末装置１０１が受信した際の電波の強さの情報を含む。なおこの情報はデータ列であればよく、このフォーマットに限らない。この情報フォーマット７０１は、近接通信モジュール１６２が発信している、情報の特定を行うための１２８ビットのＵＵＩＤ(Universal Unique Identifier)７０２、通信先を示す３２ビットのＩＰアドレス７０３を含む。また携帯端末装置１０１が受信した際の電波の強さを示す８ビットの電波強度７０４をも含む。ＵＵＩＤは、特定の手順に従い生成される一意のＩＤである。このＵＵＩＤを、画像形成装置１０２の近接通信モジュール１６２が発信している情報に含めることにより、その情報を受信した携帯端末装置１０１は、ＵＵＩＤに対応して動作を決定することが可能となる。
【００５５】
例えば、近接電波を利用して二種類の異なるサービスを提供する場合を考える。ひとつは携帯端末装置が近接電波を検知した場合にその携帯端末に特定の商品広告を表示するサービス、もうひとつは近接電波を検知した場合にその店舗の割引券を表示するサービスを考える。この時、携帯端末装置上で特定のアプリケーションを動作させておき、このアプリケーションは近接電波の検知を行った場合、ＵＵＩＤを手掛かりに動作を決定する。つまり、広告表示サービス、割引券表示サービスに対し、それぞれ別のＵＵＩＤを割り当てておき、それぞれの近接通信モジュールに近接した際にそのＵＵＩＤに応じて広告表示あるいは割引券表示を行う。
【００５６】
図７（ｂ）は、近接通信モジュール１６２が発信している情報の具体例を示したものである。ＵＵＩＤ７２１には、0x123456789abcdef0という値が設定されている。この実施形態では、ＵＵＩＤは、ＩＰアドレスが示す通信先に予め決められたフォーマットでアクセシビリティの設定ジョブを送信すれば、アクセシビリティ設定が可能なＩＤとされている。なお、設定ジョブについては後に詳細に説明する。ＩＰアドレス７２２には、192.168.0.27との値が設定されている。先に説明したように、この実施形態では、近接電波による通信は片方向であるため、携帯端末装置１０１が画像形成装置１０２に情報を送る場合、別の通信媒体を使用する必要がある。
【００５７】
本実施形態では、無線通信を利用してこのＩＰアドレスに設定ジョブを送信することで、アクセシビリティ設定が可能となる。電波強度７２３の値は６７であり、その単位は％である。この電波強度は、近接通信においては数段階であることが多く、本実施形態では０％、３３％、６７％、１００％として、電波の強さは３段階となっている。
【００５８】
図５のステップＳ３０６に戻ると、アクセシビリティ制御アプリケーション１３６は、近接電波を検知できない場合（Ｓ３０６：Ｎ）、ステップＳ３０４に戻り、アクセシビリティ設定変更がないか確認し、再度近接電波を検知する処理を繰り返す。近接電波の検知ができた場合（Ｓ３０６：Ｙ）、つまりユーザが携帯端末装置１０１を携帯して画像形成装置１０２に近接した場合は、アクセシビリティ制御アプリケーション１３６は、図７（ｂ）の近接通信で受信した情報を取得する（Ｓ３０７）。続いて、アクセシビリティ制御アプリケーション１３６は、ＵＵＩＤがアクセシビリティの設定ジョブの送信及びアクセシビリティ設定が可能な機器を判定する。この判定は、近接電波のＵＵＩＤが所定のＩＤであるか否かを判定することで行う（Ｓ３０８）。ＵＵＩＤが所定のＩＤに相当しない場合（Ｓ３０８：Ｎ）、アクセシビリティ制御アプリケーション１３６の処理は、再度ステップＳ３０４に戻る。ＵＵＩＤが所定のＩＤに相当する場合（Ｓ３０８：Ｙ）には、アクセシビリティ制御アプリケーション１３６は、電波強度が検知基準値以上であるかを判定する（Ｓ３０９）。
【００５９】
近接電波は、一般的には５ｍ〜１０ｍ程度離れていても検知可能である。ユーザが携帯端末装置１０１を携帯して画像形成装置１０２に十分近づいた時に、ユーザが設定しているアクセシビリティ設定を画像形成装置１０２に反映することが望ましい。従って、電波強度がある程度強くなった場合、本実施形態では６７％以上になった場合に、電波強度が検知基準値以上であると判定する。検知した電波強度が基準値未満の場合（Ｓ３０９：Ｎ）にはステップＳ３０４に戻る。検知基準値以上（Ｓ３０９：Ｙ）であれば、アクセシビリティ制御アプリケーション１３６は、近接電波情報から通信先アドレスを取得する（Ｓ３１０）。具体的には、図７（ｂ）に示されるように、１９２．１６８．０．２７が取得される。続いて、アクセシビリティ制御アプリケーション１３６は、通信先アドレスに対して設定ジョブを送信する（Ｓ３１１）。この通信は、無線通信１０６を通じて行う。このように、この実施形態では、近接通信による通信は画像形成装置１０２から携帯端末装置１０１への一方向としている。そして、携帯端末装置１０１から画像形成装置１０２への通信は、双方向通信である無線通信１０６を通じて行う。
【００６０】
図８（ａ）は、アクセシビリティ制御アプリケーション１３６が送信する設定ジョブ８１０である。この設定ジョブ８１０はタグ形式で、タグを設定項目キー、そのキーに対する設定値はタグで囲む表現としている。なお、設定項目と設定値が表現できれば他の形式でも構わない。設定項目キー８１１及び８１９において、「accessiblityjob」は、アクセシビリティ制御に関するジョブであることを示すタグである。
設定項目キー８１２における「type」はアクセシビリティ制御ジョブの種別を示し、その値は「accessibilitysettings」となっている。これはアクセシビリティ設定を行うジョブであることを示す。この他の種別については後のステップにおいて説明する。
【００６１】
図８（ａ）に示される設定項目キー８１３〜８１６は、設定項目キー８１１に含まれる設定項目であり、それぞれ「reversecolor」、「charsize」、「notifybyled」及び「erasebackimage」となっている。これらは、それぞれ、図３（ａ）、（ｂ）に示される「色反転」、「文字の大きさ」、「ＬＥＤフラッシュ通知」、「背景画像消去」に対応し、設定値はそれぞれTrue、１５０、True、Trueとなっている。このデータを設定ジョブとして通信先アドレスである１９２．１６８．０．２７、つまり画像形成装置１０２に送信する。
【００６２】
図５に戻ると、アクセシビリティ制御アプリケーション１３６は、近接電波の電波強度がアクセシビリティ解除基準値以下であるかを判定する（Ｓ３１２）。解除基準値以下ではない場合（Ｓ３１２：Ｎ）、再度ステップＳ３１２を実行する。
解除基準値以下の場合（Ｓ３１２：Ｙ）、アクセシビリティ制御アプリケーション１３６は、画像形成装置１０２に設定されたアクセシビリティ設定を解除するための解除コマンドを通信先アドレスに送信する（Ｓ３１３）。この実施形態では、解除基準値は、ステップＳ３０９における検知基準値とは異なる値としている。詳細には、検知基準値は６７％とし、電波強度が強くない場合は検知しないようにした。
【００６３】
一方、携帯端末装置１０１を携帯したユーザが画像形成装置１０２の操作部１５７の情報画面を通じてアクセシビリティ設定した後には、電波強度がある程度弱くなってもそのアクセシビリティ設定を解除しないものとした。その後、アクセシビリティ制御アプリケーション１３６は、ユーザからアプリケーションの終了指示を受けたか確認する（Ｓ３１４）。ユーザからの終了指示がある場合は終了するが、指示がない場合はステップＳ３０４に戻る。
【００６４】
以下、ステップＳ３１３での解除コマンド送信について、より詳細に説明する。ユーザが携帯端末装置１０１を携帯して画像形成装置１０２に近接し、プリント等の操作をした後、画像形成装置１０２に紙詰まりなどが生じる場合もある。この場合、紙詰まりからの復旧のために、操作部１５７の情報画面４０２を見ながら用紙カセットを引き出す等の操作を行う。その際に、ユーザは、画像形成装置１０２近接通信モジュール１６２から離れて電波強度が弱くなることもある。
従って、電波強度の検知基準値と解除基準値を同じにすると、ユーザが復旧作業をしている間にアクセシビリティ設定が解除され、再度のアクセシビリティ設定が必要となって利便性が落ちる可能性がある。このような状況から、アクセシビリティ設定を解除する際の解除電波強度の値は、検知電波強度よりも高い値とした。この実施形態では、アクセシビリティ設定を解除する際の解除電波強度の値を３３％としている。
【００６５】
図８（ｂ）に解除ジョブの一例を示す。解除ジョブ８３０において、設定項目キー８３１および８３３における「accessiblityjob」は、図８（ａ）と同様、アクセシビリティ制御ジョブであることを示すタグである。設定項目キー８３２における「type」は、このジョブのタイプを示す識別子であり、その値は「cancel accessiblity」である。このことから、設定項目キー８３２は、アクセシビリティを解除するジョブであることが示される。このジョブは、アクセシビリティを解除することのみを示すジョブであり、他の設定項目はない。
【００６６】
図９および図１０は、画像形成装置１０２における処理のフローチャートである。なお、本実施形態では、画像形成装置１０２の操作部１５７の情報画面４０２は、カラー表示及び文字の大きさ変更が可能であり、また背景画像も表示することができるものとする。一方、画像形成装置１０３は、文字の大きさの変更は可能であるものの、モノクロ表示のみでありまた背景画像の表示機能はないものとする。
【００６７】
図９を参照すると、画像形成装置１０２のＣＰＵ１５２は、近接通信制御プログラム１７４を実行して近接通信情報を生成し、近接通信モジュール１６２を介して電波発信を開始する(Ｓ３２１)。また、ユーザが画像形成装置１０２に近接したことから、ユーザからの指示等に応じて画像形成装置１０２に格納された各種プログラムが実行されると予測される。例えば、外部メモリ１７１に格納されている印刷制御プログラム１７２、操作部制御プログラム１７３、近接通信制御プログラム１７４及び時間計測部１７５が必要に応じて実行されると予測される。従って、好ましくは、ＣＰＵ１５２はこれらのプログラム等をシステムバス１５１経由でＲＡＭ１５３にロードしておき、必要に応じて実行する。ここで発信する近接通信情報は、図７（ｂ）に示すフォーマットを有する。ただし、画像形成装置１０２と画像形成装置１０３の通信先アドレスは異なる。その後、画像形成装置１０２の印刷制御プログラム１７２は、クライアントからのジョブを受信したかを判定する(Ｓ３２２)。受信していない場合（Ｓ３２２：Ｎ）、ステップＳ３２１に戻る。
【００６８】
画像形成装置１０２がジョブを受信した場合は、ＣＰＵ１５２は、受信したジョブからジョブの種別を取得する(Ｓ３２３)。クライアントからのジョブには印刷ジョブや設定ジョブなど複数の種類が存在することから、この取得処理を行う。この取得処理では、ジョブに含まれるタグによりジョブを判別する。例えばタグが「accessiblityjob」であれば、そのジョブはアクセシビリティ制御ジョブである。
【００６９】
その後、ＣＰＵ１５２は、受信したジョブの種類がアクセシビリティジョブであるか否かを判定する(Ｓ３２４)。このステップにおいて、受信したジョブがアクセシビリティジョブではない場合（Ｓ３２４：Ｎ）においてジョブの種類に応じた処理を行う（Ｓ３２５）。例えば、受信したジョブが印刷処理であれば印刷処理を行う。その後、ＣＰＵ１５２の処理はステップＳ３２２に戻る。
【００７０】
受信したジョブがアクセシビリティジョブである場合(Ｓ３２４：Ｙ)、ＣＰＵ１５２は、アクセシビリティジョブが解除処理であるか否かを判定する（Ｓ３２６）。この実施形態では、ジョブ内の「type」タグの値は、設定を意味する「accessiblitysettings」又は解除を意味する「cancel accessibility」のいずれかである。従って、ＣＰＵ１５２は、このタグの値からアクセシビリティジョブが解除処理であるか否かを判定することになる。解除処理である場合（Ｓ３２６：Ｙ）、ＣＰＵ１５２は、操作部１５７の液晶タッチパネルに表示される情報画面４０２を通常の表示に戻す（Ｓ３２７）。従って、情報画面が図４（ｂ）に示す画面に変更されていた場合には図４（ａ）に示す画面に戻される。情報画面が図４（ｄ）に示す画面に変更されていた場合には、図４（ｃ）に示す画面に戻される。受信したジョブが設定ジョブではない場合(Ｓ３２６：Ｎ)、ＣＰＵ１５２は、画像形成装置１０２のアクセシビリティ設定情報テーブルを初期化する(Ｓ３２８)。
【００７１】
ここで、図１１（ａ）に、画像形成装置１０２の初期化されたアクセシビリティ設定情報テーブル９０１を示す。アクセシビリティ設定情報テーブル９０１は、設定可能項目９０２、設定変換９１０およびその設定値９０３を有する。
前述したように、画像形成装置１０２の操作部１５７の液晶タッチパネルは、カラー表示及び文字の大きさ変更が可能であり、また背景画像も表示することができる。そのため、設定可能項目９０２には、「reversecolor」、「charsize」、「notifybyled」及び「erasebackimage」が含まれる。これらの設定可能項目は、図８（ａ）に示される、携帯端末装置１０１のアクセシビリティ制御アプリケーション１３６から送信された設定項目キー８１３〜８１６に対応する。また、設定変換９１０は、これら設定項目キー値の変換が必要かどうかを「True」あるいは「False」の値で示している。「True」は変換が必要であることを示し、「False」は変換が不要であることを示す。この実施形態では、「charsize」に関しては携帯端末装置１０１では文字の大きさは相対値（％）で表され、その一方、画像形成装置１０２ではポイント値で表される。従って、携帯端末装置１０１のアクセシビリティ制御アプリケーション１３６から送信された設定項目キー８１４に対応する、図１１（ａ）の設定可能項目「charsize」に関しては変換が必要となる。その他の設定可能項目において変換は必要ない。
【００７２】
以上のことから、図１１（ａ）において、設定変換９１０の値は、「reversecolor」、「notifybyled」及び「erasebackimage」については「False」、「charsize」については「True」となっている。また、図１１（ａ）の設定値９０３については画像形成装置１０２における初期値が設定されている。この実施形態においては、「reversecolor」、「notifybyled」及び「erasebackimage」についてはそれぞれ「False」が設定されており、色反転、LED通知及び背景消去についてはいずれも行わない。一方、「charsize」については、この実施形態での文字の大きさの初期値は２４[ポイント]であることから「２４」が設定されている。
携帯端末装置１０１から設定ジョブ８１０を受信した後は、図１１（ａ）のアクセシビリティ設定情報テーブル９０１がその受信内容に応じて変更される。受信された設定ジョブ８１０の設定内容は図６（ｂ）に示されるものである。従って、変更後のアクセシビリティ設定情報テーブルに設定される値は、図６（ｂ）の設定内容に応じて変更されることになる。
【００７３】
図１１（ｂ）に、変更後のアクセシビリティ設定情報テーブル９２１を示す。設定可能項目９０２の「reversecolor」、「notifybyled」及び「erasebackimage」については、上述のように設定変換９１０の値がいずれも「False」であり、変換は不要である。従って、図１１（ｂ）においては、これらの変更後の設定値９０３として、図６（ｂ）の設定値である「True」が設定されている。一方、「charsize」は、上述のように変換が必要な設定項目となっている。図６（ｂ）に示されるように、携帯端末装置１０１から受信される文字の大きさは１５０％である。画像形成装置１０２において文字の大きさの初期値は２４ポイントであることから、変更後の「charsize」の値は、２４[ポイント]×１５０（％）＝３６[ポイント]となる。
【００７４】
図１１（ｃ）は、画像形成装置１０３の初期状態のアクセシビリティ設定情報テーブル９４１を示す。上述のように、画像形成装置１０３は文字の大きさの変更は可能であるものの、モノクロ表示のみであり、背景画像の表示機能はない。そのため、画像形成装置１０３における設定可能項目９０２は「charsize」および「notifybyled」のみとなっている。図１１（ｃ）に示されるように、画像形成装置１０３のアクセシビリティ設定情報テーブル９４１の「charsize」については、設定変換９１０及び設定値９０３の初期値はそれぞれ「True」、「２４」となっている。また、「notifybyled」の初期値は、それぞれ「False」、「True」となっている。
図１１（ｄ）は、画像形成装置１０３の変更後のアクセシビリティ設定情報テーブル９６１を示す。設定可能項目９０２の「notifybyled」の設定変換は「False」となっており、変換は不要である。従って、「notifybyled」の変更後の設定値９０３として図６（ｂ）の設定値である「True」がそのまま用いられる。一方、「charsize」は、上述のように変換が必要な設定項目であり、画像形成装置１０３の文字の大きさの初期値は２４ポイントであることから、変更後の「charsize」の設定値９０３は、２４[ポイント]×１５０（％）＝３６[ポイント]となる。
【００７５】
図９に戻ると、画像形成装置１０２のＣＰＵ１５２は、アクセシビリティ設定情報テーブルの初期化（Ｓ３２８）の後、未処理設定項目があるかを判定する（Ｓ３２９）。未処理設定項目がある場合（Ｓ３２９：Ｙ）は、未処理設定項目及びその設定値を取得する（Ｓ３３０）。
【００７６】
以下、未処理設定項目がある場合の処理を説明する。なお、未処理の設定項目がない場合（Ｓ３２９：Ｎ）は、後述するステップＳ３５１に進む。ここでは、図８（ａ）で設定項目キー８１３として示される「reversecolor」が未処理設定項目として取得され、設定値として「True」を取得したとする。その後、ＣＰＵ１５２は、未処理設定項目が情報画面に反映される設定であるか否かを判定する（Ｓ３３１）。具体的には、画像形成装置１０２の場合、アクセシビリティ設定情報テーブル９０１の設定可能項目９０２に「reversecolor」が存在するかを判定する。この実施形態では「reversecolor」が存在するので、ＣＰＵ１５２は、未処理設定項目は操作部１５７の情報画面４０２に反映される設定であると判定する（Ｓ３３１：Ｙ）。なお、画像形成装置１０３の場合、アクセシビリティ設定情報テーブル９４１の設定可能項目９４２に「reversecolor」は存在しない。従って、この場合は、ＣＰＵ１５２は、未処理設定項目は操作部１５７の情報画面４０２に反映しない設定であると判定して（Ｓ３３１：Ｎ）、ステップＳ３２９に戻る。
【００７７】
ステップＳ３３１での判定結果がＹの場合、ＣＰＵ１５２は、未処理設定項目が変換不要であるか否かを判定する（Ｓ３３２）。前述のように、ＣＰＵ１５２は、図１１（ａ）の設定変換９１０の値が「True」であれば変換が必要、「False」であれば変換が不要であると判定する。変換が必要な場合（Ｓ３３２：Ｎ）、アクセシビリティ設定の変換を行って（Ｓ３３３）、変換後の値を設定値９０３に設定する（Ｓ３３４）。設定項目「reversecolor」については、その設定変換９１０の値は「False」であるため、ＣＰＵ１５２は、変換は不要であると判定し（Ｓ３３２：Ｙ）する。そして、ＣＰＵ１５２は、その設定値である「True」をそのままアクセシビリティ設定情報テーブル９０１の設定値９０３として用いる（Ｓ３３４）。文字の大きさを設定する「charsize」については、設定変換９１０の値は「True」であるため、ＣＰＵ１５２は、変換が必要であると判定し（Ｓ３３２：Ｎ）、アクセシビリティ設定の変換を行う(Ｓ３３３)。
【００７８】
ステップＳ３３３におけるアクセシビリティ設定の変換の詳細を説明する。画像形成装置１０２の場合、操作部１５７の情報画面４０２に表示する文字サイズは２４ポイントであるので、アクセシビリティ設定情報テーブル９０１の設定可能項目「charsize」の設定値も２４となっている。一方、ステップＳ３２２で受信した設定ジョブの設定項目キー８１４である「charsize」の設定値は１５０（％）である。従って、ＣＰＵ１５２は、２４（ポイント）×１．５＝３６[ポイント]として変換を行う。その後、ＣＰＵ１５２は、アクセシビリティ設定情報テーブル９２１の「charsize」に対する変更後の設定値９０３として、変換後の値である３６を設定する（Ｓ３３４）。画像形成装置１０３の場合も同様であり、ＣＰＵ１５２は、変更後のアクセシビリティ設定情報テーブル９６１の「charsize」についての設定値９０３に変更後の値である３６を設定する。他のアクセシビリティ設定項目についても同様にステップＳ３２９からステップＳ３３４の処理を繰り返す。
【００７９】
次に、ステップＳ３２９において未処理アクセシビリティ設定がないと判断された場合（Ｓ３２９：Ｎ）に実行される処理のフローチャートを図１０に示す。ＣＰＵ１５２は、アクセシビリティ設定情報テーブル９２１の設定値９０３を読み出す（Ｓ３５１）。その後、ＣＰＵ１５２は、読み出された設定値９０３が、その初期値であるアクセシビリティ設定情報テーブル９０１の設定値９０３から変更されているか否かを判定する（Ｓ３５２）。設定可能項目９０２のいずれにおいてもその設定値９０３が初期値から変更されていない場合（Ｓ３５２：Ｎ）は、操作部１５７の情報画面４０２は変更する必要がない。従って、ＣＰＵ１５２の処理はステップＳ３２２に戻り、上述した処理を繰り返す。
一方、初期値から変更された設定値９０３がある場合（Ｓ３５２：Ｙ）は、ＣＰＵ１５２は、設定値９０３が変更されている設定可能項目９０２について、操作部１５７の情報画面を変更する（Ｓ３５３）。その結果、例えば図４（ａ）に示される通常の情報画面４０２の表示形態は、アクセシビリティ設定が反映されて、図４（ｂ）の変更された情報画面４２２のように変更される。また図４（ｃ）のようにログイン画面が表示されているログイン画面４４２の表示形態は、図４（ｄ）のログイン画面４６２のように変更される。
【００８０】
次に、「ＬＥＤフラッシュ通知をする」機能について説明する。この実施形態では、携帯端末装置１０１では、何らかの通知があるときに携帯端末装置１０１に備えられたＬＥＤ（発光ダイオード）により視覚的に通知を行う機能である。また、この実施形態では、携帯端末装置１０１のＬＥＤフラッシュによる通知は、画像形成装置１０２には具備されていないとする。画像形成装置１０２は、ＬＥＤフラッシュに代えて、画面を数回反転繰り返し表示することによって視覚的通知を行うものとした。
操作部１５７の画面表示をデフォルトから変更した後は、ＣＰＵ１５２は、時間計測部１７５を起動して時間計測を開始する（Ｓ３５４）。この時間計測により、一定時間以上操作がない場合は、情報画面を初期状態に戻すことが可能となる。
【００８１】
その後、ＣＰＵ１５２は、ログイン操作の確認を行う。携帯端末装置１０１を携帯するユーザが画像形成装置１０２に近接した場合、図４（ｄ）に示されるログイン画面４６２が表示される。ユーザは、この状態でログイン操作を行う。ＣＰＵ１５２は、ユーザからのログイン操作がなされたか否かを判定する（Ｓ３５５）。ログイン操作がなされた場合（Ｓ３５５：Ｙ）、ＣＰＵ１５２は、現在の表示設定をログインしたＩＤに保存するかの確認を行うため、図４（ｅ）に示したログイン画面４６２を表示する（Ｓ３６０）。その後、ＣＰＵ１５２は、ユーザがボタン「保存する」ボタン４８７を選択したか否かを判定する（Ｓ３６１）。
ユーザが「保存する」ボタン４８７を選択した場合（Ｓ３６１：Ｙ）、ＣＰＵ１５２は、操作部制御プログラム１７３を実行して変更後の画面設定をログインＩＤと関連付けてユーザ情報記憶部１７６に保存する（Ｓ３６２）。従って、ユーザが携帯端末装置１０１を携帯していない状態でログインした場合であっても、アクセシビリティ設定が反映されたログイン画面４６２を表示することが可能となる。その後、ＣＰＵ１５２は、操作部制御プログラム１７３を実行することで、ユーザからの操作部１５７の操作イベント入力を受ける(Ｓ３６３)。なお、ステップＳ３６１でユーザが「保存しない」ボタンを選択した場合には（Ｓ３６１：Ｎ）、ＣＰＵ１５２の処理は直接ステップＳ３６３に進む。
【００８２】
その後、ＣＰＵ１５２は、受け付けた操作イベントがログアウト操作か否かを判定する(Ｓ３６４)。受け付けた操作イベントがログアウト操作ではない場合（Ｓ３６４：Ｎ）は、ＣＰＵ１５２は、受け付けた操作に応じた処理を行い(Ｓ３６５)、ステップＳ３６３に戻る。ログアウト操作の場合は、ＣＰＵ１５２は、ログアウト処理及び操作部１５７の画面表示を変更前のログイン画面４４２に戻す処理を行う(Ｓ３６６)。その後、ＣＰＵ１５２は、電源ＯＦＦ操作がなされたかを判定し（Ｓ３６７）、電源ＯＦＦ操作がなされた場合（Ｓ３６７）は処理を終了する。一方、電源ＯＦＦがなされなかった場合（Ｓ３６７：Ｎ）には、ＣＰＵ１５２の処理は図９のステップＳ３２２に戻る。
【００８３】
一方、ステップＳ３５５においてログイン操作がない場合（Ｓ３５５：Ｎ）は、ＣＰＵ１５２は、操作部１５７の液晶タッチパネルに対してユーザが操作を行ったかを判定する(Ｓ３５６)。操作があった場合（Ｓ３５６：Ｙ）は、ステップＳ３５４で開始された時間計測においてカウント値をクリアする(Ｓ３５７)。操作がない場合（Ｓ３３６：Ｎ）、ＣＰＵ１５２は、計測している時間、すなわちユーザからの入力がない期間が一定期間を超えたか否かを判定する（Ｓ３５８）。ユーザからの操作がない時間が一定時間未満の場合(Ｓ３５８：Ｎ)、ＣＰＵ１５２は、ステップＳ３５５の処理に戻る。
一定時間以上経過した場合（Ｓ３５８：Ｙ）、ＣＰＵ１５２は、操作部１５７の画面表示を図４（ａ）に示される情報画面４０２に戻し、ステップＳ３２２に戻る。
【００８４】
以上の手順により、ユーザが携帯する携帯端末装置１０１において、ＣＰＵ１１１は、アクセシビリティ制御アプリケーション１３６を通じてアクセシビリティ設定を行う。その後、携帯端末装置１０１を所持したユーザが画像形成装置１０２に近接すると、その操作部１５７の情報画面にアクセシビリティ設定を反映させることが可能となる。
【００８５】
［第２実施形態］
第１実施形態においては、画像形成装置１０２から携帯端末装置１０１へと片方向の近距離通信１０７を用いてＩＤ及び通信先アドレスの送信を行っている。一方、無線通信１０６は双方向通信であり、携帯端末装置１０１と画像形成装置１０２との間で各種データ等の送受信を行う。第１実施形態では、携帯端末装置１０１は、近距離通信１０７を通じて通信を確立してアドレス情報を受信する。その後、携帯端末装置１０１から無線ＬＡＮベースステーション１０５を経由して無線通信１０６により画像形成装置１０２にジョブを送信する。
しかしながら、近距離通信では片方向通信に限られるものではなく、双方向での近距離通信を採用することも可能である。
【００８６】
図１２に、第２実施形態における画像形成システムの概略構成図を示す。図１２において、携帯端末装置１０１と画像形成装置１０２とは、双方向通信が可能な近距離通信１００６を経由して双方向通信を行う。近距離通信１００６が双方向通信であることから、携帯端末装置１０１は、ネットワーク１０４を経由せずに画像形成装置１０２に接続することが可能となっている。なお、その他の構成は図１（ａ）と同様であり、説明を省略する。
【００８７】
図１３は、この近距離通信１００６を介して携帯端末装置１０１が画像形成装置１０２から取得する情報のフォーマット７０１の説明図である。図７と同様に、図１３において取得される情報は、１２８ビットのＵＵＩＤ７０２であることが示される。このＵＵＩＤが特定のものであれば、携帯端末装置１０１からは、近距離通信１００６を経由して設定ジョブが画像形成装置１０２に送信される。その他の処理については第１実施形態と同様である。
【００８８】
［第３実施形態］
第１実施形態において、携帯端末装置１０１で設定したアクセシビリティ設定情報は、画像形成装置１０２の操作部制御プログラム１７３により変換が必要なものがあった。第３実施形態では、この変換を携帯端末装置１０１のアクセシビリティ制御アプリケーション１３６で行う。
例えば、携帯端末装置１０１での文字の大きさは、ＯＳ１３２のＡＰＩで取得できるが、この場合、取得される文字の大きさは、拡大縮小率の相対値で取得される。画像形成装置１０２では、文字の大きさはポイント指定されることから、アクセシビリティ制御アプリケーション１３６は、この取得した相対値から文字の大きさをポイントで指定する。具体的には、アクセシビリティ制御アプリケーション１３６においては、基準の文字の大きさを２４ポイントとする。そして、ＯＳ１３２のＡＰＩで取得した文字の大きさの相対値（％）を基準の大きさである２４ポイントに乗算する。
【００８９】
従って、ＡＰＩから取得した文字の大きさの相対値が２００％の場合、画像形成装置１０２に対しては、文字の大きさは２４（ポイント）×２００（％）＝４８ポイントに決定する。従って、この第３実施形態においては、画像形成装置１０２が作成するアクセシビリティ設定情報テーブル９０１、９２１、９４１、９６１の設定可能項目９０２において、「charsize」の項目及びその設定変換９１０、設定値９０３は必要ない。
【００９０】
以上の実施形態では、携帯端末装置１０１に、表示態様変更情報としてアクセシビリティ設定を記憶し、近距離通信などにより通信が確立した後に、その設定を画像形成装置１０２に送信して情報画面に反映させている。これにより、ユーザは、携帯端末装置１０１を所持して画像形成装置１０２と通信を確立することで、操作パネル画面の表示態様を変更することができる。特に、近距離通信により通信を確立する場合には、ユーザが携帯端末装置１０１を所持して画像形成装置１０２に近づくだけで、画像形成装置１０２の情報画面の表示態様を変更することができる。
【００９１】
また、実施形態で示したように、ログイン状態に関係なく携帯端末装置１０１に記憶されたアクセシビリティ設定を画像形成装置１０２に反映することができる。従って、ログイン前の画面やログイン画面自体に対して、アクセシビリティ設定を反映して表示形態を変更することができる。
【００９２】
さらに、ログインシステムを適用していない画像形成装置においても、携帯端末装置１０１に記憶されたアクセシビリティ設定を画像形成装置１０２の情報画面に反映して表示形態を変更できる。また、本発明は、以下の処理を実行することによっても実現される。即ち、上述した実施形態の機能を実現するソフトウェア（コンピュータプログラム）を、ネットワーク又は各種記憶媒体を介してシステム或いは装置に供給する。そしてそのシステム或いは装置のコンピュータ（またはＣＰＵやＭＰＵ等）がプログラムを読み出して実行する処理である。この場合、そのプログラム、及び該プログラムを記憶した記憶媒体は本発明を構成することになる。
【図１】
0006465662.tif 000002
【図２】
0006465662.tif 000003
【図３】
0006465662.tif 000004
【図４】
0006465662.tif 000005
【図５】
0006465662.tif 000006
【図６】
0006465662.tif 000007
【図７】
0006465662.tif 000008
【図８】
0006465662.tif 000009
【図９】
0006465662.tif 000010
【図１０】
0006465662.tif 000011
【図１１】
0006465662.tif 000012
【図１２】
0006465662.tif 000013
【図１３】
0006465662.tif 000014